(57)【要約】      （修正有）【課題】振動を軽減することができる調整機能及び緩衝機能を備えた車輪構造を提供する。【解決手段】調整機能及び緩衝機能を備えた車輪構造は、車輪フレーム１及び緩衝構造２を備える。車輪フレーム１は、支持フレーム１１、車輪１２及び回転軸１３を有する。支持フレーム１１は、下向きのコの字型の枠体であり、枠体の下部に間隔をおいて設けられた２つの側面には、互いに対向するように複数の車輪孔１１１が設けられ、車輪孔１１１の上方には、２つの側面上に互いに対向するように貫通孔１１２が設けられ、支持フレーム１１の上面には、作動孔１１３及び接合孔１１４がそれぞれ設けられる。車輪１２は、車輪軸１２１を介して支持フレーム１１の車輪孔１１１に接続され、支持フレーム１１の側面に設けた貫通孔１１２の中に回転軸１３が配置される。【選択図】図２
0003158163.tif 000002
【実用新案登録請求の範囲】
【請求項１】
車輪フレーム及び緩衝構造からなり、調整機能及び緩衝機能を備えた車輪構造であって、
前記車輪フレームは、支持フレーム、車輪及び回転軸を有し、
前記支持フレームは、下向きのコの字型の枠体であり、前記枠体の下部に間隔をおいて設けられた２つの側面には、互いに対向するように複数の車輪孔が設けられ、前記車輪孔の上方には、２つの側面上に互いに対向するように貫通孔が設けられ、前記支持フレームの上面には、作動孔及び接合孔がそれぞれ設けられ、前記車輪は、車輪軸を介して前記支持フレームの前記車輪孔に接続され、前記支持フレームの側面に設けた前記貫通孔の中に前記回転軸が配置され、
前記回転軸は、前記支持フレームの一方の側部に設けられた前記貫通孔に通してから、緩衝構造の緩衝部材の回転孔へ貫設し、前記支持フレームの他方の側部に設けられた前記貫通孔に貫設することにより、前記支持フレームに前記緩衝部材を固定し、
前記緩衝構造は、前記車輪フレームの前記支持フレームの上方に接続され、前記緩衝部材、弾性部材、固定部材及び貫通軸を有し、
前記緩衝部材は、略Ｌ字状の作動軸体であり、前記回転孔を中心部に有し、位置決め孔が設けられた底板を下方に有し、枢着棒を上部に有し、前記枢着棒は、下から上にかけて前記車輪フレームの前記支持フレームの上方の作動孔に貫設し、前記支持フレームの側部に設けた前記貫通孔に、前記車輪フレームの前記回転軸を通してから前記緩衝部材の前記回転孔へ貫設した後に、前記支持フレームの他方の側部に設けた前記貫通孔に貫設することにより、前記弾性部材及び２つの前記固定部材を設置し、
前記固定部材は、前記弾性部材の上下２箇所にそれぞれ配置され、前記弾性部材及び前記固定部材は、前記底板と前記支持フレームとの間に配置し、前記弾性部材の上方で、前記支持フレームの上方に設けた前記接合孔に配置された前記固定部材と、前記弾性部材と、前記弾性部材の下方に配置された前記固定部材と、に貫通軸を貫設してから、前記底板上の前記位置決め孔に貫設した前記貫通軸の下端部に調整ナットを螺着することを特徴とする調整機能及び緩衝機能を備えた車輪構造。
【請求項２】
前記車輪フレームの前記支持フレームの前記作動孔は、楕円形の長孔であることを特徴とする請求項１に記載の調整機能及び緩衝機能を備えた車輪構造。
【請求項３】
前記緩衝構造の前記緩衝部材の上部に設けられた前記枢着棒は、上端にネジ山を有することを特徴とする請求項１に記載の調整機能及び緩衝機能を備えた車輪構造。
【考案の詳細な説明】
【技術分野】
【０００１】
本考案は、調整機能及び緩衝機能を備えた車輪構造に関するものであり、さらに詳しくは、病院用ベッド、車椅子などの医療設備に接続して使用するのに適した車輪構造に関するものである。
【背景技術】
【０００２】
従来の病院用ベッドの車輪カバー構造は、病院用ベッドの車輪体の下向きのコの字型枠体の両側に、対称的な蓋体が対向するように組み合わせることにより構成してある。
蓋体は、上部が下向きのコの字型枠体の上部に対応するように形成された弧状蓋部により弧状縁部を覆い、車輪体の周囲の形状に合致するように円弧状の側蓋部を形成してある。２つの蓋体は、互いに隣接する部分が互いに嵌合することが可能な嵌合部と嵌合溝とからなる。
【０００３】
また、蓋体には、他の蓋体に向かって１組の接続片が突設し、接続片と他方の蓋体とが対向する位置には、ネジを螺着して位置決めを行うために用いる孔を設けてある。側蓋部には、ネジを螺着して下向きのコの字型枠体を蓋体に取り付け、位置決めを行うために用いる１つ以上の組立孔を設けてある。この組立孔には、ネジをカバーするシールド片を取り付けるために用いる拡大溝縁をさらに設けてある。
【０００４】
上述した従来の病院用ベッドの車輪カバー構造は、一般の病院用ベッド又は車椅子などの医療設備の車輪構造と類似して緩衝機能を有するものでないため、凹凸のある場所を通る際、振動が大きくなり、病院用ベッド、車椅子などの医療設備に携帯している医療装置及び前記医療設備を使用している患者に悪影響を与える虞があった。
【０００５】
かかる状況下において緩衝機能を有する車輪構造について、例えば、特許文献１によれば、緩衝機能付キャスターとして、車輪の回転移動の中心である支点軸の位置を変更したことにより車輌の上下方向への移動量は小さく、車輌の水平方向への移動量を大きくしたキャスターが記載されている。
【０００６】
しかし、凹凸の激しい場所の通行には、かかる水平移動のみでは振動吸収は十分ではなく、また、上記移動を抑制する調整機能も不十分であった。
【特許文献１】実用新案登録第３０９４７０３号公報
【考案の開示】
【考案が解決しようとする課題】
【０００７】
従って、本考案の課題は、振動を軽減または吸収することができ、調整機能及び緩衝機能を有する車輪構造であって、病院等の医療機関用として適した搬送車等に取付け可能な車輪構造を提供する点にある。
【課題を解決するための手段】
【０００８】
そこで、本考案者は、前記の本考案の課題を解決するため鋭意検討を重ねた結果、後述の如き、図１〜５に示すような構成により、弾性部材の弾性を利用して、調整機能及び緩衝機能を有する車輪構造が本考案の課題を解決できることに着目し、かかる知見に基いて本考案の想到に至った。
【０００９】
すなわち、本考案の目的は、振動を軽減することができる調整機能及び緩衝機能を備える車輪構造（キャスター）を提供することにある。
【００１０】
かくして、本考案によれば、
請求項１において、
車輪フレーム及び緩衝構造からなり、調整機能及び緩衝機能を備えた車輪構造であって、
前記車輪フレームは、支持フレーム、車輪及び回転軸を有し、
前記支持フレームは、下向きのコの字型の枠体であり、前記枠体の下部に間隔をおいて設けられた２つの側面には、互いに対向するように複数の車輪孔が設けられ、前記車輪孔の上方には、２つの側面上に互いに対向するように貫通孔が設けられ、前記支持フレームの上面には、作動孔及び接合孔がそれぞれ設けられ、前記車輪は、車輪軸を介して前記支持フレームの前記車輪孔に接続され、前記支持フレームの側面に設けた前記貫通孔の中に前記回転軸が配置され、
前記回転軸は、前記支持フレームの一方の側部に設けられた前記貫通孔に通してから、緩衝構造の緩衝部材の回転孔へ貫設し、前記支持フレームの他方の側部に設けられた前記貫通孔に貫設することにより、前記支持フレームに前記緩衝部材を固定し、
前記緩衝構造は、前記車輪フレームの前記支持フレームの上方に接続され、前記緩衝部材、弾性部材、固定部材及び貫通軸を有し、
前記緩衝部材は、略Ｌ字状の作動軸体であり、前記回転孔を中心部に有し、位置決め孔が設けられた底板を下方に有し、枢着棒を上部に有し、前記枢着棒は、下から上にかけて前記車輪フレームの前記支持フレームの上方の作動孔に貫設し、前記支持フレームの側部に設けた前記貫通孔に、前記車輪フレームの前記回転軸を通してから前記緩衝部材の前記回転孔へ貫設した後に、前記支持フレームの他方の側部に設けた前記貫通孔に貫設することにより、前記弾性部材及び２つの前記固定部材を設置し、
前記固定部材は、前記弾性部材の上下２箇所にそれぞれ配置され、前記弾性部材及び前記固定部材は、前記底板と前記支持フレームとの間に配置し、前記弾性部材の上方で、前記支持フレームの上方に設けた前記接合孔に配置された前記固定部材と、前記弾性部材と、前記弾性部材の下方に配置された前記固定部材と、に貫通軸を貫設してから、前記底板上の前記位置決め孔に貫設した前記貫通軸の下端部に調整ナットを螺着することを特徴とする調整機能及び緩衝機能を備えた車輪構造
が提供される。
【００１１】
請求項２に係る考案によれば、
前記車輪フレームの前記支持フレームの前記作動孔は、楕円形の長孔であることを特徴とする請求項１に記載の調整機能及び緩衝機能を備える車輪構造
が提供される。
【００１２】
請求項３に係る考案によれば、
前記緩衝構造の前記緩衝部材の上部に設けられた前記枢着棒は、上端にネジ山を有することを特徴とする請求項１に記載の調整機能及び緩衝機能を備える車輪構造
が提供される。
【００１３】
上記課題を解決するために、本考案によれば、車輪フレーム及び緩衝構造とからなる車輪構造であって、調整機能及び緩衝機能を備えた車輪構造が提供される。
前記車輪フレームは、支持フレーム、車輪及び回転軸を有し、前記支持フレームは、下向きのコの字型の枠体であり、前記枠体の下部に間隔をおいて設けられた２つの側面には、互いに対向するように複数の車輪孔が設けられたものである。前記車輪孔の上方には、２つの側面上に互いに対向するように貫通孔が設けられ、前記支持フレームの上面には、作動孔及び接合孔がそれぞれ設けられてある。前記車輪は、車輪軸を介して前記支持フレームの前記車輪孔に接続され、前記支持フレームの側面に設けた前記貫通孔の中に前記回転軸が配置され、前記回転軸は、前記支持フレームの一方の側部に設けられた前記貫通孔に通してから、緩衝構造の緩衝部材の回転孔へ貫設し、前記支持フレームの他方の側部に設けられた前記貫通孔に貫設することにより、前記支持フレームに前記緩衝部材を固定する。
【００１４】
前記緩衝構造は、前記車輪フレームの前記支持フレームの上方に接続され、前記緩衝部材、弾性部材、固定部材及び貫通軸を有する。
【００１５】
前記緩衝部材は、略Ｌ字状の作動軸体であり、前記回転孔を中心部に有し、位置決め孔が設けられた底板を下方に有し、枢着棒を上部に有し、前記枢着棒は、下から上にかけて前記車輪フレームの前記支持フレームの上方の作動孔に貫設する。前記支持フレームの側部に設けた前記貫通孔に、前記車輪フレームの前記回転軸を通してから前記緩衝部材の前記回転孔へ貫設した後に、前記支持フレームの他方の側部に設けた前記貫通孔に貫設することにより、前記弾性部材及び２つの前記固定部材を設置する。前記固定部材は、前記弾性部材の上下２箇所にそれぞれ配置され、前記弾性部材及び前記固定部材は、前記底板と前記支持フレームとの間に配置する。前記弾性部材の上方で、前記支持フレームの上方に設けた前記接合孔に配置された前記固定部材と、前記弾性部材と、前記弾性部材の下方に配置された前記固定部材と、に貫通軸を貫設してから、前記底板上の前記位置決め孔に貫設した前記貫通軸の下端部に調整ナットを螺着することを特徴とする調整機能及び緩衝機能を備える車輪構造が提供される。
【００１６】
前記車輪フレームの前記支持フレームの前記作動孔は、楕円形の長孔であることが好ましい。
【００１７】
前記緩衝構造の前記緩衝部材の上部に設けられた前記枢着棒は、上端にネジ山を有することが好ましい。
【考案の効果】
【００１８】
本考案の調整機能及び緩衝機能を備えた車輪構造は、緩衝部材を車輪フレームの振動を間接的に軽減することができるように構成してあるので、振動を吸収すると共に、上下位置の変動を抑制することができ、病院用ベッド等の如く制振作用を有することが必要な設備のキャスターとして凹凸面を有する通路を通過する際にも振動吸収において著しく顕著な効果を奏する。
【図面の簡単な説明】
【００１９】
【図１】本考案の一実施形態による調整機能及び緩衝機能を備えた車輪構造中枢部を切欠した状態を示す斜視図である。
【図２】本考案の一実施形態による調整機能及び緩衝機能を備えた車輪構造を示す分解斜視図である。
【図３】本考案の一実施形態による調整機能及び緩衝機能を備える車輪構造を組み立てるときの状態を示す斜視図である。
【図４】本考案の一実施形態による調整機能及び緩衝機能を備える車輪構造を示す断面図である。
【図５】本考案の一実施形態による調整機能及び緩衝機能を備える車輪構造の作動状態を示す断面図である。
【考案を実施するための最良の形態】
【００２０】
以下、本考案の実施形態について図面に基づいて説明する。なお、これによって本考案が限定されるものではない。
【００２１】
図１を参照する。図１に示すように、本考案の一実施形態による調整機能及び緩衝機能を備える車輪構造は、車輪フレーム１及び緩衝構造２を含む。
【００２２】
図２を参照する。図２に示すように、本考案の一実施形態による車輪構造の車輪フレーム１は、支持フレーム１１、車輪１２及び回転軸１３を含む。
【００２３】
支持フレーム１１は、下向きのコの字型の枠体である。枠体の下部に間隔をおいて設けられた２つの側面には、互いに対向するように複数の車輪孔１１１を設けてある。支持フレーム１１の車輪孔１１１の上方には、２つの側面上に互いに対向するように貫通孔１１２を設けてある。支持フレーム１１の上面には、略楕円形の長孔である作動孔１１３及び円孔である接合孔１１４をそれぞれ設けてある。
【００２４】
さらに、車輪１２は、車輪軸１２１を介して支持フレーム１１の車輪孔１１１に接続され、回転軸１３は、支持フレーム１１の貫通孔１１２の中に配置されてある。この回転軸１３は、支持フレーム１１の一方の側部に設けられた貫通孔１１２に通してから、緩衝構造２の緩衝部材２１の回転孔２１１へ貫設し、支持フレーム１１の他方の側部に設けられた貫通孔１１２に通すことにより、支持フレーム１１に緩衝部材２１を固定する。
【００２５】
図１に示すように、本考案の一実施形態による調整機能及び緩衝機能を備える車輪構造は、車輪フレーム１の支持フレーム１１の上方に接続された緩衝構造２により緩衝機能を得る。
【００２６】
緩衝構造２は、緩衝部材２１、弾性部材２２、固定部材２３及び貫通軸２４を含む。図２に示すように、緩衝部材２１は、略Ｌ字状の作動軸体であり、中心部には回転孔２１１が水平方向に穿設され、下方には底板２１２が設けられてある。底板２１２は、扁平状であり、回転孔２１１の下端から延伸されている。底板２１２には、位置決め孔２１３が設けられ、緩衝部材２１上には枢着棒２１４を配置してある。
【００２７】
この枢着棒２１４は、回転孔２１１の上端から上向きに突設されており、病院用ベッド、車椅子などの医療設備に接続するために用いるネジ山を上端に有し、緩衝部材２１の枢着棒２１４は、下から上にかけて車輪フレーム１の支持フレーム１１の上方の作動孔１１３に貫設してある。支持フレーム１１の側部に設けた貫通孔１１２に、車輪フレーム１の回転軸１３を通してから緩衝部材２１の回転孔２１１へ貫設した後に、支持フレーム１１の他方の側部に設けた貫通孔１１２に貫設してある。支持フレーム１１上に緩衝部材２１を固定する。この緩衝部材２１は、図３に示すように回転軸１３を軸心として作動し、弾性部材２２及び２つの固定部材２３を有する。
【００２８】
図４に示すように、固定部材２３は、凸状であり、弾性部材２２の上下２箇所にそれぞれ配置されている。弾性部材２２及び固定部材２３は、緩衝部材２１の底板２１２と支持フレーム１１との間に垂直状態で配置する。弾性部材２２の上に、支持フレーム１１の上方に接合孔１１４に配置するように設けた固定部材２３と、弾性部材２２と、弾性部材２２の下方に配置された固定部材２３と、に貫通軸２４を貫設してから、底板２１２上の位置決め孔２１３に貫設した貫通軸２４の下端部に、調整ナット２４１を螺着し、図１に示すような車輪構造を製作する。
【００２９】
図４に示すように、本実施形態の調整機能及び緩衝機能を備えた車輪構造を実際に使用する際は、緩衝構造２の緩衝部材２１の上端が、病院用ベッド、車椅子などの医療設備に接続されて押されると、車輪フレーム１の車輪１２が回転する。
【００３０】
図５に示すように、凹凸がある場所を車輪１２が通過する際、病院用ベッド、車椅子などの医療設備に接続された緩衝部材２１が上下に振動するが、この振動は、緩衝部材２１に設けられた回転孔２１１の軸心を介し、緩衝構造２の弾性部材２２が圧縮することにより軽減される。
【００３１】
さらに、図４に示すように、緩衝構造２の貫通軸２４の下端に設置した調整ナット２４１を工具により調整することにより、貫通軸２４の下端に螺着した調整ナット２４１の締め付け力を変え、弾性部材２２の強度を調整することができる。貫通軸２４の下端に設けられた調整ナット２４１を強く螺着した場合、弾性部材２２は強く締め付けられ、貫通軸２４の下端に調整ナット２４１を緩く螺着すると緩く締められた状態となる。このように、緩衝部材２１の締め付け力を変えた場合、異なる緩衝機能を得ることができるため、ユーザは使用場所に応じて必要な緩衝機能を調整することができる。
【００３２】
図４に示すように、本考案の一実施形態による調整機能及び緩衝機能を備える車輪構造は、車輪フレーム１の支持フレーム１１の上方に、緩衝構造２の緩衝部材２１を設置する。緩衝部材２１上には、支持フレーム１１の作動孔１１３に貫設した枢着棒２１４が設けられ、底板２１２が下方に延設されている。底板２１２と支持フレーム１１との間には、接触するように弾性部材２２が配置されている。さらに、緩衝部材２１は、車輪フレーム１の回転軸１３により、支持フレーム１１上で回転軸１３を円心として利用するため、車輪１２の移動範囲が作動孔１１３の孔径を利用して小さくすることができる。このように、図５に示すように、弾性部材２２により、凹凸を有する場所を通る際に支持フレーム１１の下方に設けた車輪１２が上下に振動する力を吸収することができる。そのため、本考案に係る実施形態の車輪構造は、医療設備の安全性を高めることができ、有用性は極めて大きい。
【００３３】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきものである。
【符号の説明】
【００３４】
１  車輪フレーム
２  緩衝構造
１１  支持フレーム
１２  車輪
１３  回転軸
２１  緩衝部材
２２  弾性部材
２３  固定部材
２４  貫通軸
１１１  車輪孔
１１２  貫通孔
１１３  作動孔
１１４  接合孔
１２１  車輪軸
２１１  回転孔
２１２  底板
２１３  位置決め孔
２１４  枢着棒
２４１  調整ナット
【図１】
0003158163.tif 000003
【図２】
0003158163.tif 000004
【図３】
0003158163.tif 000005
【図４】
0003158163.tif 000006
【図５】
0003158163.tif 000007